(57)【要約】【課題】電池端子と回路基板との接続を簡単に行うことができ、組立性に優れた電子機器の電池端子接続構造を提供する。【解決手段】電子カメラの前ケース２０に形成された電池収納部２２に配置され、電池収納時の電池の電極と接触する電池端子１８４、１８６と、前ケース２０と後ケースとの間に配設される回路基板１１０上の前記電池端子１８４、１８６と対向する位置に実装された接触端子１８０、１８２とからなり、これらの電池端子１８４、１８６と接触端子１８０、１８２とは、回路基板１１０を前ケース２０と後ケースとの間に組み込むと、これに伴って弾性をもって接触するように構成されている。【選択図】          図１３
2004327285.tif 000002
【特許請求の範囲】
【請求項１】
電子機器の外装ケースに形成された電池収納部に配置され、電池収納時の電池の電極と接触する電池端子と、
前記外装ケース内に配設される回路基板上の前記電池端子と対向する位置に実装された接触端子とからなり、
前記電池端子と接触端子とは、前記外装ケースへの前記回路基板の取り付けに連動して弾性をもって接触するように構成されていることを特徴とする電子機器の電池端子接続構造。
【請求項２】
前記接触端子は、自動実装機により前記回路基板上に実装されることを特徴とする請求項１の電子機器の電池端子接続構造。
【請求項３】
前記電池端子と接触端子との接触面の少なくとも一方は、ニッケルメッキ処理又はニッケルボロンメッキ処理が施されていることを特徴とする請求項１の電子機器の電池端子接続構造。
【請求項４】
前記外装ケースへの前記回路基板の取付完了時に前記電池端子及び接触端子の少なくとも一方は、その接触部が前記回路基板に対して上下方向に撓んでいることを特徴とする請求項１の電子機器の電池端子接続構造。
【発明の詳細な説明】
【０００１】
【発明の属する技術分野】
本発明は電子機器の電池端子接続構造に係り、特に組立性に優れた電子機器の電池端子接続構造に関する。
【０００２】
【従来の技術】
従来、電池の両極に接続される電池端子と回路基板との電気的な接続は、電池端子と接続部材（線材やフレキシブル配線パターン等）を半田付け又はカシメなどで接続し、接続部材と回路基板間はコネクタを介して接続もしくは直接半田付けで接続している。また、電池端子と回路基板とを直接半田付けする方法も採用されている。
【０００３】
特許文献１には、電池端子に直接フレキシブル配線パターンを接続する方法が開示されている。
【０００４】
【特許文献１】
登録実用新案第２５７１７０１号公報
【０００５】
【発明が解決しようとする課題】
従来の電池端子と回路基板との接続は、ハンダ付けやコネクタを介して接続する必要があり、電子機器の組立性を悪化させるという問題がある。
【０００６】
本発明はこのような事情に鑑みてなされたもので、電池端子と回路基板との接続を簡単に行うことができ、組立性に優れた電子機器の電池端子接続構造を提供することを目的とする。
【０００７】
【課題を解決するための手段】
前記目的を達成するために請求項１に係る電子機器の電池端子接続構造は、電子機器の外装ケースに形成された電池収納部に配置され、電池収納時の電池の電極と接触する電池端子と、前記外装ケース内に配設される回路基板上の前記電池端子と対向する位置に実装された接触端子とからなり、前記電池端子と接触端子とは、前記外装ケースへの前記回路基板の取り付けに連動して弾性をもって接触するように構成されていることを特徴としている。
【０００８】
本発明によれば、外装ケース側の電池収納部に電池端子を配置する一方、この電池端子に対向する回路基板上の位置に接触端子を実装する。これらの電池端子と接触端子とは分離し、線材やフレキシブル配線パターン等によって電気的に接続されていないが、前記外装ケースの所定の位置に回路基板が組み込まれると、これに連動して電池端子と接触端子とが弾性をもって接触し、電気的に接続されるようになる。即ち、外装ケースに回路基板を組み込む通常の組立作業により、自動的に電池端子と回路基板とを電気的に接続することができる。
【０００９】
尚、請求項２に示すように前記接触端子は、自動実装機により前記回路基板上に実装されており、接触端子の回路基板上への実装には人手による手間はかからない。
【００１０】
請求項３に示すように、請求項１の電子機器の電池端子接続構造において、前記電池端子と接触端子との接触面の少なくとも一方は、ニッケルメッキ処理又はニッケルボロンメッキ処理が施されていることを特徴としている。これにより、電池端子と接触端子間の接触抵抗値が小さくなるようにしている。
【００１１】
請求項４に示すように、請求項１の電子機器の電池端子接続構造において、前記外装ケースへの前記回路基板の取付完了時に前記電池端子及び接触端子の少なくとも一方は、その接触部が前記回路基板に対して上下方向に撓んでいることを特徴としている。これにより、電池端子と接触端子との間の接触圧を維持できるようにしている。
【００１２】
【発明の実施の形態】
以下添付図面に従って本発明に係る電子機器の電池端子接続構造の好ましい実施の形態について詳説する。
【００１３】
図１は本発明に係る電池端子接続構造を有する電子カメラを前方から見た斜視図であり、図２乃至図４は、それぞれ前記電子カメラの外観を示す正面図、背面図及び上面図である。
【００１４】
これらの図面に示す電子カメラ１０は、小型のデジタルカメラであり、前ケース２０、後ケース３０及びメディア／電池蓋４０の３部材から構成された外装ケースと、この外装ケース内に収容されたカメラ内容物とから構成されている。
【００１５】
図１及び図２に示すように、前ケース２０の前面には、レンズカバー５０、調光センサ用カバー５２、及びストロボカバー５４が設けられている。これらのカバー５０、５２、５４は、それぞれ透明部材によって形成されている。また、前ケース２０には、図５に示すように前面下側に２本の単４電池を収納する電池収納部２２が形成されている。
【００１６】
後ケース３０の上面には、シャッターボタンのキートップ３１が設けられ、図１に示すように後ケース３０の側面には、ＵＳＢ端子用開口３２、電源入力端子用開口３３が形成されている。
【００１７】
また、図３に示すように、後ケース３０には、液晶モニタ１６０が臨む開口３４と、電源ボタン、マルチファンクションの十字キー、撮影／再生モード選択ボタン、メニュー／ＯＫボタン、及びバックボタンのそれぞれのキートップ３５が設けられている。
【００１８】
液晶モニタ１６０は、カメラの動作モードや十字キーの機能等を文字やアイコンで表示する。また、液晶モニタ１６０は、動画（スルー画像）を表示して電子ビューファインダとして使用できるとともに、撮影した記録前の画像（プレビュー画像）やカメラに装填されたメモリカードから読み出した再生画像等を表示することができる。更に、液晶モニタ１６０は、撮影可能コマ数や再生コマ番号の表示、マニュアル設定する際のホワイトバランス、画素数、圧縮率、及びシャープネス等をマニュアル設定する際の各種のメニュー等がメニュー／ＯＫスイッチや十字キーの操作に応じて表示される。
〔外装ケースの構造〕
次に、図５乃至図８を用いて上記電子カメラ１０の外装ケースの詳細について説明する。
【００１９】
図５及び図６はそれぞれ上記電子カメラ１０の外装ケースを展開した状態の上面図及び背面図である。
【００２０】
この電子カメラ１０の外装ケースは、前述したように前ケース２０、後ケース３０及びメディア／電池蓋４０の３部材から構成され、硬質樹脂と軟質樹脂との２色成形もしくはインサート成形によって一体部品として成形されている。
【００２１】
前ケース２０、後ケース３０及びメディア／電池蓋４０の３部材は、図５又は図６に示すように展開時に略Ｌ字型に配置され、前ケース２０と後ケース３０とは第１の連接部３６で接続され、後ケース３０とメディア／電池蓋４０とは第２の連接部３７で接続されている。
【００２２】
上記のような一体成形品は、外装ケースを展開した形状の金型を制作し、これを用いて成形する。尚、前ケース２０、後ケース３０及びメディア／電池蓋４０の３部材を略Ｌ字型に配置することにより、３部材を直線に配置する場合に比べて金型の製造コストを安価にすることができるとともに、金型を小型化することができる。
【００２３】
また、図５乃至図８上で、外装ケースの硬質樹脂によって成形された部分は白色で図示され、軟質樹脂によって成形された部分は灰色で図示されている。即ち、前ケース２０、後ケース３０及びメディア／電池蓋４０の本体部は、それぞれ硬質樹脂によって形成され、シャッターボタンのキートップ３１及びその他の各ボタン類のキートップ３５、第１の連接部３６、第２の連接部３７、及び後ケース３０のフランジ部３８は、それぞれ軟質樹脂によって形成される。
【００２４】
更に、透明なレンズカバー５０、調光センサ用カバー５２、及びストロボカバー５４は、それぞれ軟質樹脂を介して前ケース２０に固定されている。また、図１に示すように、これらのカバー５０、５２、５４の外周を覆う軟質樹脂は、ケース面よりも突出し、カバー５０、５２、５４を保護する役割がある。
【００２５】
後ケース３０側に軟質樹脂によって形成されているシャッターボタンのキートップ３１及びその他の各ボタン類のキートップ３５は、各キートップの外周部が局部的に肉厚が薄く形成され、これにより上下方向に弾性をもっている。
【００２６】
次に、第１の連接部３６及び第２の連接部３７について説明する。
【００２７】
図７及び図８はそれぞれ図５に示した展開された状態の外装ケースを、図５上の矢印Ａ方向及び矢印Ｂ方向から見た側面図である。
【００２８】
図７に示すように、第１の連接部３６は、前ケース２０と後ケース３０とを接続するもので、局部的に肉厚が薄く形成された折り曲げ部３６Ａ、３６Ｂを有している。これらの折り曲げ部３６Ａ、３６Ｂを、図７に示す状態からそれぞれ９０°折り曲げることにより、図１に示すように前ケース２０と後ケース３０とを組み立てることができる。
【００２９】
また、図８に示すように、第２の連接部３７は、後ケース３０とメディア／電池蓋４０とを接続するもので、部分的に肉厚が薄く形成された折り曲げ部３７Ａ、３７Ｂを有している。折り曲げ部３７Ａは、図８に示す状態から第２の連接部３７が後ケース３０の円形コーナに沿うまで折り曲げられ、折り曲げ部３７Ａは、図８に示す状態から９０°折り曲げられ、これにより図１に示すようにメディア／電池蓋４０は、前ケース２０と係合するようになる。尚、メディア／電池蓋４０には、係合用の爪部４２が一体成形され、前ケース２０には、この爪部４２が係合する係合部２４（図５参照）が形成されている。
【００３０】
上記第１の連接部３６及び第２の連接部３７は、金型で成形するために図７及び図８に示すように水平方向に所要の長さが必要であり、その結果、前ケース２０と後ケース３０とは展開した状態での高さが異なり、同様に後ケース３０とメディア／電池蓋４０とは展開した状態での高さが異なっている。
【００３１】
即ち、図７に示すように第１の連接部３６の一端は、前ケース２０の外周縁と接続され、第１の連接部３６の他端は、後ケース３０の外周縁からほぼ連接部３６の長さだけ離間した位置で接続され、同様に図８に示すように、第２の連接部３７の一端は、メディア／電池蓋４０の外周縁と接続され、第２の連接部３７の他端は、後ケース３０の外周縁からほぼ連接部３７の長さだけ離間した位置で接続されており、前ケース２０、後ケース３０及びメディア／電池蓋４０は、それぞれ金型上での高さが異なる。
【００３２】
ところで、軟質樹脂によって形成される第１の連接部３６及び第２の連接部３７は成型後に収縮し、しかも軟質樹脂の成分等を変えて硬さを調整すると、収縮率も変わる。そのため、第１の連接部３６及び第２の連接部３７を成型するための金型は、図８に示すように他の金型とは独立して交換できる金型（上型６２、下型６４）にすることが好ましい。
【００３３】
一方、軟質樹脂からなるフランジ部３８は、後ケース３０の外周縁の略全周にわたって形成されており、外装ケースの組立後には図１又は図４に示すように前ケース２０と後ケース３０とのつなぎ目を覆ってカメラ外観を装飾するとともに、緩衝部材、滑り止め部材としての機能を果たす。更に、このフランジ部３８には、ストラップを取り付けるための孔３８Ａが形成されている。
【００３４】
尚、前ケース２０及び後ケース３０は、シャッターボタンのキートップ３１が設けられる箇所、ＵＳＢ端子用開口３２、電源入力端子用開口３３が形成される箇所、及びストロボカバー５４が設けられる箇所を除いて、略直方体の電子カメラ１０の全体が丸みを持つようにコーナ部が円形に面取りされており、シャッターボタンのキートップ３１が設けられる箇所は、円柱状の膨らみが形成されている。
【００３５】
また、硬質樹脂としては、ＡＢＳ樹脂，  ポリカーボネート樹脂等が挙げられ、軟質樹脂としては、エラストマー樹脂等が挙げられるが、これらの樹脂に限定されない。
〔カメラ内容物〕
次に、電子カメラ１０の外装ケース内に収容されるカメラ内容物について説明する。
【００３６】
図９は外装ケース内に収容されるカメラ内容物１００の斜視図であり、図１０及び図１１はそれぞれカメラ内容物１００の正面図及び背面図である。また、図１２は図２の１２−１２線に沿う断面図である。
【００３７】
これらの図面に示すように、カメラ内容物１００は、主として一枚の回路基板１１０と、レンズユニット１２０と、ストロボユニット１３０と、メインコンデンサ１４０と、メディアコネクタ１５０と、液晶モニタ（ＬＣＤユニット）１６０とから構成されている。
【００３８】
この回路基板１１０の前面には、レンズユニット１２０、ストロボユニット１３０、メインコンデンサ１４０、及びメディアコネクタ１５０が配設されている。尚、図１２に示すように、レンズユニット１２０はＣＣＤイメージセンサやＣＭＯＳイメージセンサ等の撮像素子１２２が組み込まれており、この撮像素子１２２とともに回路基板１１０に実装されている。この実施の形態では、撮像素子１２２をレンズユニット１２０を介して回路基板１１０に実装するようにしたが、これに限らず、レンズユニット１２０とは別個に回路基板１１０に実装するようにしてもよい。
【００３９】
レンズユニット１２０の横側（図９、図１０上で左側）には、それぞれストロボユニット１３０とストロボ用のメインコンデンサ１４０とが上下に配置され、レンズユニット１２０とメインコンデンサ１４０の下側にメディアコネクタ１５０が配置されている。
【００４０】
ストロボユニット１３０は、図９に示すように発光部１３２が前ケース２０のストロボカバー５４に近接するように脚部１３４を介して回路基板１１０に実装されている。
【００４１】
メディアコネクタ１５０は、図１２に示すようにレンズユニット１２０等に比べて薄くできるため、このメディアコネクタ１５０の上側のスペースに、前ケース２０に形成された電池収納部２２がくるように構成されている。
【００４２】
一方、回路基板１１０の裏面には、液晶モニタ１６０が配設されている。また、回路基板１１０の裏面には、電源ボタン、十字キー、撮影／再生モード選択ボタン、メニュー／ＯＫボタン、バックボタン等のキートップ３５によってＯＮ／ＯＦＦされるタクトスイッチ１７０が実装されている。
【００４３】
また、回路基板１１０の上端面には、シャッターボタンのキートップ３１によって押下される２段ストロークのシャッタースイッチ１７２が配設されている。
【００４４】
尚、一枚の回路基板１１０には、ＵＳＢ端子、電源入力端子、電源回路、画像信号処理ＩＣやカメラ全体を統括制御するＣＰＵ等が搭載されているが、図９乃至図１２の図面上では省略されている。
【００４５】
図１等に示した電子カメラ１０は、上記構成のカメラ内容物１００を前ケース２０と後ケース３０との間に収容し、前ケース２０と後ケース３０とをネジ固定することにより構成される。
【００４６】
また、図１２に示すように、メディア／電池蓋４０を開けると、電子カメラ１０に使用される記録メディア（ｘＤピクチャーカード、スマートメディア、ＳＤカード等のメモリカード）１７４の着脱や電池収納部２２への電池の着脱が可能となる。ここで、電池収納部２２の下端の湾曲部２２Ａにより、メディアコネクタ１５０の下側にスペースが形成されており、このスペースを利用してメディア１８４の下端を指でつまんでメディア１８４の抜き差しができるようになっている。
〔電池端子接続構造〕
次に、電子カメラ１０の電池端子接続構造について説明する。
【００４７】
図１３は電子カメラ１０の前ケース２０と回路基板１１０との分解斜視図であり、図１４は図１３に示した前ケース２０と回路基板１１０の側面図である。また、図１５は前ケース２０の正面図である。
【００４８】
図１３及び図１４に示すように、回路基板１１０上には、電池から電源を入力するための正の接触端子１８０と、負の接触端子１８２とが実装されている。これらの接触端子１８０、１８２の接触部１８０Ａ、１８２Ａは、板バネ状に形成されており、回路基板１１０に対して上下方向に弾性をもっている。
【００４９】
一方、前ケース２０の電池収納部２２の一端（図１５上で右端）には、電池の正極が接触する電池端子１８４と電池の負極が接触する電池端子１８６とが取り付けられ、電池収納部２２の他端（図１５上の左端）には、電池の負極が接触する電池端子１８８と電池の正極が接触する電池端子１８９とが取り付けられる。尚、電池端子１８８と電池端子１８９とは互いに連結されており（図示せず）、これにより電池収納部２２に収納される２本の電池を直列接続できるようになっている。
【００５０】
これらの電池端子１８４、１８６、１８８、１８９は、略Ｕ字形に形成されており、前ケース２０の裏側（図６参照）から装着され、前ケース２０と回路基板１１０との間に挟持される。また、前ケース２０と後ケース３０との間に回路基板１１０が収容されると、前記電池端子１８４、１８６は、回路基板１１０側の接触端子１８０、１８２と対向する位置にくる。
【００５１】
電池端子１８４には、回路基板１１０側の接触端子１８０の接触部１８０Ａと接触する接触部１８４Ａが形成されており、同様に電池端子１８６には、回路基板１１０側の接触端子１８２の接触部１８２Ａと接触する接触部１８６Ａが形成されている。
【００５２】
そして、前ケース２０と回路基板１１０とが互いに所定の位置に固定されると、前ケース２０側が取り付けられた電池端子１８４、１８６の接触部１８４Ａ、１８６Ａは、それぞれ回路基板１１０に実装された接触端子１８０、１８２の接触部１８０Ａ、１８２Ａと接触する。これにより、前ケース２０の電池収納部２２に収納される電池から回路基板１１０に電源を供給することができるようになる。
【００５３】
また、前ケース２０と回路基板１１０とが互いに所定の位置に固定されると、回路基板１１０に実装された接触端子１８０、１８２の接触部１８０Ａ、１８２Ａは、前ケース２０側の電池端子１８４、１８６の接触部１８４Ａ、１８６Ａによって押圧され、回路基板１１０に対して上下方向に撓んだ状態となる。即ち、接触端子１８０、１８２の接触部１８０Ａ、１８２Ａと電池端子１８４、１８６の接触部１８４Ａ、１８６Ａとの接触面は、所定の押圧力で付勢された状態となり、両者間の電気的な導通が確実に得られるようになっている。
【００５４】
更に、回路基板１１０側の接触端子１８０、１８２の接触部１８０Ａ、１８２Ａには、ニッケルメッキ処理により素材（例えば、鉄板）の表面にニッケル層（Ｎｉ層）が形成され、続いてニッケルボロンメッキ処理によりＮｉ層上にニッケルボロン層（ＮｉＢ層）が形成されている。
【００５５】
前記接触端子１８０、１８２の接触部１８０Ａ、１８２Ａと電池端子１８４、１８６の接触部１８４Ａ、１８６Ａとは、接触時に接触部１８０Ａ、１８２Ａが撓みながら接触部同士が擦り合わされるが、ニッケルボロンの硬度は、鉄よりも高いため、接触部のセルフクリーニング効果が期待できる。
【００５６】
尚、接触端子１８０、１８２の接触部１８０Ａ、１８２Ａの表面硬度は、電池端子１８４、１８６の接触部１８４Ａ、１８６Ａの表面硬度以上であればよく、従って、接触部１８０Ａ、１８２Ａにニッケルメッキのみを施してもよい。
【００５７】
この実施の形態では、回路基板１１０に実装される接触端子１８０、１８２の接触部１８０Ａ、１８２Ａに弾性を持たせたり、ニッケルボロンメッキ処理等を施すようにしたが、これに限らず、前ケース２０の電池収納部２２側に取り付けられる電池端子１８４、１８６の接触部１８４Ａ、１８６Ａに弾性を持たせたり、ニッケルボロンメッキ処理等を施すようにしてもよい。
【００５８】
上記構成の電池端子接続構造は、電池端子１８４、１８６と回路基板１１０との接続に、はんだ付けやコネクタを介した接続が不要であり、組立性がよいという利点がある。
【００５９】
尚、本発明に係る電池端子接続構造が適用される電子機器は、電子カメラに限らず、他の電子機器（少なくとも電池を有する電子機器）にも適用できる。また、電池の種類は、この実施の形態のものに限定されない。
〔カメラの防水構造〕
次に、電子カメラ１０の防水構造について説明する。
【００６０】
図１６は電子カメラ１０の前ケース２０と後ケース３０’との分解斜視図であり、図１７は図１６の側面図である。尚、図１６及び図１７では、説明の便宜上、前ケース２０、後ケース３０’、及びメディア／電池蓋４０はそれぞれ分離しているが、これらは図５等で示したように一体部品として成形されている。
【００６１】
前ケース２０の光学部材が臨む透明なレンズカバー５０、調光センサ用カバー５２、及びストロボカバー５４は、前述したように軟質樹脂を介して前ケース２０に固定され、これらのカバー５０、５２、５４と前ケース２０との間は防水構造となっている。
【００６２】
また、図１６に示すように、後ケース３０’の液晶モニタ１６０（図１１参照）が表示面が臨む位置には、透明なＬＣＤカバー３９が軟質樹脂を介して後ケース３０’に固定され、ＬＣＤカバー３９と後ケース３０’との間は防水構造となっている。尚、後ケース３０’の他の構成は、図１等に示した後ケース３０と同一である。
【００６３】
カメラ操作部材として後ケース３０’に設けられたシャッターボタンのキートップ３１、電源ボタン、マルチファンクションの十字キー、撮影／再生モード選択ボタン、メニュー／ＯＫボタン、及びバックボタンのそれぞれのキートップ３５は、前述したように軟質樹脂によって後ケース３０’に一体成形されているため、これらのキートップ３１、３５と後ケース３０’との間は防水構造となっている。
【００６４】
次に、前ケース２０と後ケース３０’との間の防水構造について説明する。
【００６５】
図１８は図１７の１８−１８線に沿う要部断面図であり、図１８（Ａ）及び（Ｂ）はそれぞれ前ケース２０と後ケース３０’との組立前及び組立後の状態に関して示している。
【００６６】
図１８（Ａ）に示すように後ケース３０’の外周縁の略全周にわたって軟質樹脂により成形されたフランジ部３８は、略Ｔ字断面を有しており、この略Ｔ字断面のＩ字断面部分がパッキング３８Ｂを兼ねている。
【００６７】
図１８（Ｂ）に示すように前ケース２０と後ケース３０’とを組み立てると、フランジ部３８のパッキング３８Ｂは、前ケース２０の外周縁２０Ａによって潰される。これにより、前ケース２０と後ケース３０’との間はパッキング３８Ｂにより防水構造となる。
【００６８】
尚、後ケース３０’の側面に形成されたＵＳＢ端子用開口３２及び電源入力端子用開口３３は、図示しない防水キャップ等で塞ぐことができる。また、前ケース２０とメディア／電池蓋４０との間にも図示しないパッキングを設けることにより防水構造とすることができる。
【００６９】
【発明の効果】
以上説明したように本発明によれば、外装ケース側の電池収納部に電池端子を配置するとともに、この電池端子に対向する回路基板上の位置に接触端子を実装し、外装ケースの所定の位置に回路基板を組み込むことで、これに連動して電池端子と接触端子とを弾性をもって接触させるようにしたため、電池端子と回路基板との接続を簡単に行うことができ、組立性に優れるという利点がある。尚、電池端子と接続される線材やフレキシブル配線パターン等の配線がないため、外装ケース内で配線が邪魔になるという問題がない。
【図面の簡単な説明】
【図１】本発明に係る電池端子接続構造を有する電子カメラを前方から見た斜視図
【図２】電子カメラの外観を示す正面図
【図３】電子カメラの外観を示す背面図
【図４】電子カメラの外観を示す上面図
【図５】電子カメラの外装ケースを展開した状態の上面図
【図６】電子カメラの外装ケースを展開した状態の背面図
【図７】図５に示した展開された状態の外装ケースを図５上の矢印Ａ方向から見た側面図
【図８】図５に示した展開された状態の外装ケースを図５上の矢印Ｂ方向から見た側面図
【図９】電子カメラの外装ケース内に収容されるカメラ内容物の斜視図
【図１０】カメラ内容物の正面図
【図１１】カメラ内容物の背面図
【図１２】図２の１２−１２線に沿う断面図
【図１３】電子カメラの前ケースと回路基板との分解斜視図
【図１４】図１３に示した電子カメラの前ケースと回路基板の側面図
【図１５】電子カメラの前ケースの正面図
【図１６】電子カメラの前ケースと後ケースの斜視図
【図１７】電子カメラの前ケースと後ケースの側面図
【図１８】図１７の１８−１８線に沿う断面図
【符号の説明】
１０…電子カメラ、２０…前ケース、２２…電池収納部、３０…後ケース、４０…メディア／電池蓋、１００…カメラ内容物、１１０…回路基板、１８０、１８２…接触端子、１８０Ａ、１８２Ａ、１８４Ａ、１８６Ａ…接触部、１８４、１８６、１８８、１８９…電池端子
【図１】
2004327285.tif 000003
【図２】
2004327285.tif 000004
【図３】
2004327285.tif 000005
【図４】
2004327285.tif 000006
【図５】
2004327285.tif 000007
【図６】
2004327285.tif 000008
【図７】
2004327285.tif 000009
【図８】
2004327285.tif 000010
【図９】
2004327285.tif 000011
【図１０】
2004327285.tif 000012
【図１１】
2004327285.tif 000013
【図１２】
2004327285.tif 000014
【図１３】
2004327285.tif 000015
【図１４】
2004327285.tif 000016
【図１５】
2004327285.tif 000017
【図１６】
2004327285.tif 000018
【図１７】
2004327285.tif 000019
【図１８】
2004327285.tif 000020